(57)【要約】  吊り下げ式大便器（１）のための排気装置（１００）が説明される。排気装置（１００）は、背壁（１０２）と前壁（１０３）とを有する家（１０１）と、前記前壁（１０３）から前記背壁（１０２）に前記家（１０１）の中を延伸し、前記家の背壁（１０２）の外部に突出する第一の端部（１２１，１３１）を有する二個の排気結合管（１２０，１３０）とを備え、前記第二の排気結合管（１３０）の前記第一の端部（１３１）は前記第一の排気結合管（１２０）の前記第一の端部（１２１）の直径よりも大きい直径を有し、その第二の端部（１２２）で前記第一の排気結合管（１２０）が、前記内壁の溝状の凹部に配置された封止環（１２３）を備え、その第二の端部（１３２）で前記第二の排気結合管（１３０）が、前記内壁の溝状の凹部に配置された封止環（１３３）を備えている。
2007534863.tif 000002
【特許請求の範囲】
【請求項１】
吊り下げ式大便器（１）のための排気装置（１００）であって、
背壁（１０２）と該背壁（１０２）に略平行な前壁（１０３）とを有する家（１０１）と、
前記前壁（１０３）から前記背壁（１０２）まで前記家（１０１）の中を延伸し、前記家の背壁（１０２）の外部に突出する第一の端部（１２１）を有する第一の排気結合管（１２０）と、
前記前壁（１０３）から前記背壁（１０２）まで前記家（１０１）の中を延伸し、前記家の背壁（１０２）の外部に突出する第一の端部（１３１）を有する第二の排気結合管（１３０）とを備え、
前記第二の排気結合管（１３０）の中心線が前記第一の排気結合管（１２０）の中心線に略平行に向いており、
前記第二の排気結合管（１３０）の前記第一の端部（１３１）は、前記第一の排気結合管（１２０）の前記第一の端部（１２１）の直径よりも大きい直径を有し、
前記家は、前記背壁（１０２）と前記前壁（１０３）とが鉛直に向き、前記第一の排気結合管（１２０）が前記第二の排気結合管（１３０）の上で鉛直に置かれる実装位置を有し、
前記第一の端部（１２１）の反対の位置に置かれたその第二の端部（１２２）で前記第一の排気結合管（１２０）が、前記内壁の溝状の凹部に配置された封止環（１２３）を備え、
前記第一の端部（１３１）の反対の位置に置かれたその第二の端部（１３２）で前記第二の排気結合管（１３０）が、前記内壁の溝状の凹部に配置された封止環（１３３）を備えたことを特徴とする排気装置（１００）。
【請求項２】
請求項１に記載の排気装置であって、
前記第一の排気結合管（１２０）の壁の中に形成された開口（１２４）と、
前記第二の排気結合管（１３０）の壁に形成された開口（１３４）と、
空気吸引及び吹き出し手段（１６１）と、
前記第一の排気結合管（１２０）の前記壁の中の前記開口（１２４）から前記空気吸引及び吹き出し手段（１６１）まで延伸する吸引路（１４０）と、
前記空気吸引及び吹き出し手段（１６１）から前記第二の排気結合管（１３０）の前記壁の中の前記開口（１３４）まで延伸する吹き出し路（１５０）とを更に備えたことを特徴とする排気装置。
【請求項３】
請求項２に記載の排気装置であって、前記空気吸引及び吹き出し手段（１６１）は、前記家（１０１）の換気扇空間（１６０）中に配置された換気扇を備えたことを特徴とする排気装置。
【請求項４】
請求項２又は３に記載の排気装置であって、前記吹き出し路（１５０）は、前記空気吸引及び吹き出し手段（１６１）から前記第二の排気結合管（１３０）の方向に空気流を通過させ、反対方向の水流は阻止するようにされた弁（１５３）を備えたことを特徴とする排気装置。
【請求項５】
請求項４に記載の排気装置であって、前記一方向弁（１５３）は、重力に基づく弁機能であって、前記吹き出し路（１５０）の略鉛直方向に向いた路部（１５６）中に配置されていることを特徴とする排気装置。
【請求項６】
請求項４又は５に記載の排気装置であって、前記一方向弁（１５３）は操作可能な弁であり、
前記排気装置（１００）は、前記第一の排気結合管（１２０）中に水が存在するか否かに応じて前記弁（１７０）を開くか閉じるかするようにされた操作手段（１５８，１５９）を備えたことを特徴とする排気装置。
【請求項７】
請求項６に記載の排気装置であって、
前記操作手段（１８０）は、
前記第一の排気結合管（１２０）中に配置された水検出器（１８１）と、
該水検出器（１８１）により操作されるアクチュエータ（１５９）とを備えたことを特徴とする排気装置。
【請求項８】
請求項７に記載の排気装置であって、
前記弁（１５３）は、
弁座部（１５４）と、
前記アクチュエータ（１５９）により操作される弁本体（１５５）とを備えたことを特徴とする排気装置。
【請求項９】
請求項８に記載の排気装置であって、
前記弁本体（１５５）は磁石又は磁化可能体（１５８）に結合され、
前記アクチュエータは電磁石（１５９）を備えていることを特徴とする排気装置。
【請求項１０】
請求項９に記載の排気装置であって、
前記電磁石（１５９）は前記空気吸引及び吹き出し手段（１６１）に並列に接続されていることを特徴とする排気装置。
【請求項１１】
請求項４に記載の排気装置であって、
前記弁（１５３）は、可撓性を有する管部（９１１）と、該可撓性を有する管部（９１１）を挟むための挟み手段（９１２）とを備えたことを特徴とする排気装置。
【請求項１２】
請求項２〜１１の何れか１項に記載の排気装置であって、
前記吸引路（１４０）は、前記第一の排気結合管（１２０）から前記空気吸引及び吹き出し手段（１６１）まで空気流を通過させ、同じ方向の水流を止めるようにされた弁（１７０）を備えたことを特徴とする排気装置。
【請求項１３】
請求項１２に記載の排気装置であって、
前記弁（１７０）は、可撓性を有する管部（９１１）と、該可撓性を有する管部（９１１）を挟むための挟み手段（９１２）を備えたことを特徴とする排気装置。
【請求項１４】
請求項１２に記載の排気装置であって、
前記弁（１７０）は操作可能な弁であり、
前記排気装置（１００）は、前記第一の排気結合管（１２０）中に水が存在するか否かにより前記弁（１７０）を開くか閉じるかするようにされた操作手段（１８０）を備えたことを特徴とする排気装置。
【請求項１５】
請求項１４に記載の排気装置であって、
前記操作手段（１８０）は、
前記第一の排気結合管（１２０）中に配置された水検出器（１８１）と、
該水検出器（１８１）により操作されるアクチュエータ（１８２）とを備えたことを特徴とする排気装置。
【請求項１６】
請求項１５に記載の排気装置であって、
前記弁（１７０）は、
弁座部（１７１）と、
前記アクチュエータ（１８２）により操作される弁本体（１７２）とを備えたことを特徴とする排気装置。
【請求項１７】
請求項１６に記載の排気装置であって、
前記弁本体（１７２）は磁石又は磁化可能体（１７４）に結合され、
前記アクチュエータ（１８２）は電磁石（１８２）を備えていることを特徴とする排気装置。
【請求項１８】
請求項１７に記載の排気装置であって、
前記電磁石（１８２）は前記空気吸引及び吹き出し手段（１６１）に並列に接続されていることを特徴とする排気装置。
【請求項１９】
請求項１６〜１８の何れか１項に記載の排気装置であって、
前記弁本体（１７２）は、該弁本体（１７２）を前記弁（１７０）の閉じられた状態にバイアスするようにされた戻しバネに結合され、
前記アクチュエータ（１８２）は、励磁時に、前記弁（１７０）を開くために、前記戻しバネの力に逆らって、前記弁本体（１７２）を移動させるようにされたことを特徴とする排気装置。
【請求項２０】
請求項１５〜１９の何れか１項に記載の排気装置であって、
前記水検出器（１８１）は、前記第一の排気結合管（１２０）の内側に配置され、その上端部で該第一の排気結合管（１２０）の前記上壁に回転可能に取り付けられた検出器板（１８１）を備え、
前記回転軸（１８３）が、前記第一の排気結合管（１２０）の中心線にほぼ垂直に向けられていることを特徴とする排気装置。
【請求項２１】
請求項２０に記載の排気装置において、
前記検出器板（１８１）は、前記第一の排気結合管（１２０）の前記入口端部（１２１）と前記第一の排気結合管（１２０）の前記上壁中の前記開口（１２４）との間に置かれていることを特徴とする排気装置。
【請求項２２】
請求項２０又は２１に記載の排気装置であって、
磁石（１８４）が、前記検出器板（１８１）の下端部に取り付けられ、
前記磁石（１８４）により操作される磁石スイッチ（１８５）が前記第一の排気結合管（１２０）の下に装着されていることを特徴とする排気装置。
【請求項２３】
請求項２２に記載の排気装置であって、
前記磁石スイッチ（１８５）は、前記アクチュエータ（１８２）のための電源回路中に組み込まれていることを特徴とする排気装置。
【請求項２４】
請求項１２〜２３の何れか１項に記載の排気装置であって、
前記弁（１７０）と前記第一の排気結合管（１２０）の前記上壁中の前記開口（１２４）との間に置かれた前記排気路（１４０）の路部は、該開口（１２４）に排出することを特徴とする排気装置。
【請求項２５】
請求項２〜２４の何れか１項に記載の排気装置であって、
前記家（１０１）中に統合された脱臭装置（２００）を更に備え、
該脱臭装置（２００）は、好ましい臭いの物質を充填した貯蔵器（２０１）と、該貯蔵器（２０１）を加熱するための加熱手段（１８２）とを備えたことを特徴とする排気装置。
【請求項２６】
請求項２５に記載の排気装置であって、前記加熱手段（１８２）は、前記空気吸引及び吹き出し手段（１６１）に電気的に並列に接続されていることを特徴とする排気装置。
【請求項２７】
請求項２５又は２６に記載の排気装置であって、
前記貯蔵器（２０１）に沿って、好ましくは前記加熱手段（１８２）にも沿って、空気を吹き出すようにされた送風機を更に備えたことを特徴とする排気装置。
【請求項２８】
請求項２７に記載の排気装置であって、前記送風機は、前記加熱手段（１８２）に電気的に並列に接続されていることを特徴とする排気装置。
【請求項２９】
請求項１７に記載の排気装置であって、
前記家（１０１）中に統合された脱臭装置（２００）を更に備え、
該脱臭装置（２００）は、好ましい臭いの物質を充填した貯蔵器（２０１）を備え、
前記電磁石（１８２）は前記貯蔵器（２０１）に熱的に結合されていることを特徴とする排気装置。
【請求項３０】
請求項２９に記載の排気装置であって、
前記電磁石（１８２）は、制御部材（７１０）の出力（７１２）に接続され、該制御部材（７１０）の入力（７１１）は前記送風機（１６１）に並列に接続され、前記制御部材（７１０）は、熱検出器（７２０）に結合された信号入力（７１３）を有し、該熱検出器（７２０）は熱的に前記電磁石（１８２）に結合されていることを特徴とする排気装置。
【請求項３１】
請求項３０に記載の排気装置であって、
温度制御モードにおいて、前記制御部材（７１０）は、前記電磁石（１８２）の温度が所定の平均値に制御されている間、前記弁（１７０）が常に開状態に保たれるような方法で、前記熱検出器（７２０）から受信した温度信号に応じて、その出力電圧を供給するようにされていることを特徴とする排気装置。
【請求項３２】
請求項３１に記載の排気装置であって、
励磁時に、前記制御部材（７１０）は、所定の時間ｔ１の間、前記電磁石（１８２）に比較的高い出力電圧を最初に供給するようにされていることを特徴とする排気装置。
【請求項３３】
請求項２９〜３２の何れか１項に記載の排気装置であって、
前記貯蔵器（２０１）に沿って、好ましくは前記電磁石（１８２）にも沿って、空気を吹き出すようにされた送風機を更に備えたことを特徴とする排気装置。
【請求項３４】
請求項３３に記載の排気装置であって、前記送風機は、前記電磁石に電気的に並列に接続されていることを特徴とする排気装置。
【請求項３５】
上記請求項のいずれか１項に記載の排気装置であって、
前記家（１０１）中に装着された清掃液のための容器（３００）を更に備え、
該容器（３００）は、前記第一の排気結合管（１２０）の前記壁中の通路開口（３３１）に連通する出口（３１０）を備えていることを特徴とする排気装置。
【請求項３６】
請求項３５に記載の排気装置であって、前記通路開口（３３１）は、毛細管通路開口であることを特徴とする排気装置。
【請求項３７】
請求項３５又は３６に記載の排気装置であって、前記容器（３００）は、外部から見え、好ましくは少なくとも部分的に透明である壁部（３０２）を有することを特徴とする排気装置。
【請求項３８】
請求項３５に記載の排気装置であって、
前記容器（３００）は、ホース（９２０）と排気ポンプ（９２１）とを介して前記第一の排気結合管（１２０）に接続されていることを特徴とする排気装置。
【請求項３９】
請求項２〜３８の何れか１項に記載の排気装置であって、
前記送風機（１６１）に給電するための充電式電池又は蓄電池（８０１）と、
前記充電式電池又は蓄電池（８０１）を充電するために、水貯蔵器（１３）の水供給管（８１３）中に装着するように意図された水駆動発電器（８０１）とを更に備えたことを特徴とする排気装置。
【請求項４０】
請求項２〜３９の何れか１項に記載の排気装置であって、
前記家（１０１）に対して置かれる大便器（１）のより低い後縁（５）により及ぼされる圧力を検知する、前記家（１０１）に装着された圧力感知検出器（８２０）を更に備えたことを特徴とする排気装置。
【請求項４１】
吊り下げ式大便器（１）のための洗浄装置（１０００）であって、
洗浄水（１０１１）のための洗浄水貯蔵器（１０１０）と、
吊り下げ式大便器（１）の入口管（６）に接続するための第一の接続スリーブ（１０１４）と、
前記大便器（１）の吐出管（７）に接続するための第二の接続スリーブ（１０１５）と、
前記洗浄水貯蔵器（１０１０）から前記第一の接続スリーブ（１０１４）まで延伸する洗浄管（１０１２）と、
望ましくない気体を前記大便器から排気し、下水管に吹き出すための排気手段（１０２０）とを備え、
該排気手段（１０２０）は、
空気吸引吹き出し手段（１０２１）と、
前記第二の接続スリーブ（１０１５）から前記空気吸引吹き出し手段（１０２１）まで延伸する吸引路（１０２２）と、
前記空気吸引吹き出し手段（１０２１）から前記洗浄水貯蔵器（１０１０）まで延伸する吹き出し路（１０２３）とを備えたことを特徴とする洗浄装置。
【請求項４２】
吊り下げ式大便器（１）のための洗浄装置（１０００）であって、
好ましい臭いの物質を充填した貯蔵器（１２０１）と、該貯蔵器（１２０１）を加熱するための加熱手段（１８２）とを備えた脱臭装置（１２００）を備えたことを特徴とする洗浄装置。
【請求項４３】
請求項４２に記載の洗浄装置であって、
洗浄水（１０１１）のための洗浄水貯蔵器（１０１０）と、
吊り下げ式大便器（１）の入口管（６）に接続するための第一の接続スリーブ（１０１４）と、
前記大便器（１）の吐出管（７）に接続するための第二の接続スリーブ（１０１５）と、
前記洗浄水貯蔵器（１０１０）から前記第一の接続スリーブ（１０１４）まで延伸する洗浄管（１０１２）と、
望ましくない気体を前記大便器から排気して下水管に吹き出すための排気手段（１０２０）とを備え、
該排気手段（１０２０）は、
空気吸引吹き出し手段（１０２１）と
前記第二の接続スリーブ（１０１５）から前記空気吸引吹き出し手段（１０２１）まで延伸する吸引路（１０２２）と、
前記空気吸引吹き出し手段（１０２１）から前記洗浄水貯蔵器（１０１０）まで延伸する吹き出し路（１０２３）とを備え、
前記加熱手段は前記空気吸引吹き出し手段（１０２１）に電気的に並列に接続されていることを特徴とする洗浄装置。
【請求項４４】
請求項４２又は４３に記載の洗浄装置であって、
前記貯蔵器（１２０１）は、蓋板（１０１６）を介してアクセス可能な充填管（１２０２）を備えたことを特徴とする洗浄装置。
【請求項４５】
請求項４１又は４２に記載されたものであることが好ましい吊り下げ式大便器（１）のための洗浄装置（１０００）であって、
洗浄水（１０１１）のための洗浄水貯蔵器（１０１０）と、
吊り下げ式大便器（１）の入口管（６）に接続するための第一の接続スリーブ（１０１４）と、
前記大便器（１）の吐出管（７）に接続するための第二の接続スリーブ（１０１５）と、
洗浄水貯蔵器（１０１０）から前記第一の接続スリーブ（１０１４）まで延伸する洗浄管（１０１２）と、
清掃液のための貯蔵器（１３０１）で、投与路（１３１０）を介して前記第一の接続スリーブ（１０１４）に接続された貯蔵器（１３０１）とを備えたことを特徴とする洗浄装置。
【請求項４６】
請求項４５に記載の洗浄装置であって、
前記投与路（１３１０）は、少なくとも部分的に撓むホースとして実施され、排気ポンプ（１３２０）を備えたことを特徴とする洗浄装置。
【請求項４７】
請求項４５又は４６に記載の洗浄装置であって、
前記貯蔵器（１３０１）は、蓋板（１０１６）を介してアクセスできる充填管（１３０２）を備えたことを特徴とする洗浄装置。
【発明の詳細な説明】
【技術分野】
【０００１】
本発明は、広く、大便器、小便器等の領域に関する。機能に関しては、大便器と小便器とは類似している。事実、「大便器」の広義では、小便器を大便器ということもできる。狭義の大便器は座部を備えた型のものであり、一方、小便器は、広義では、大便器の変形と考えられるが、座部を有さず、異なるデザインを有する。以下、「大便器」の表現は広義で用い、このことは特に特許請求の範囲では当てはまる。例示の方法で、狭義の大便器を記述することにより、本発明を説明する。
【背景技術】
【０００２】
大便器を通常使用している間、不快な臭いが放出されることは珍しくない。この事実は一般に知られており、不快な臭いのする気体を排気するために幾つかの排気設備が既に設計されている。
【０００３】
特別の型の排気システムが「部屋排気」として示され得る。すなわち、大便器が置かれた部屋の天井に、換気扇がその中に配置された管により外気と連通した開口が設けられている。この換気扇が空気を室外に吸い取り、吸い取られた空気は外界に放出される。この公知のシステムには、幾つかの不都合が関係付けられる。
【０００４】
第一の不都合は、不快な臭いのする気体が外界に放出され、そこでこの気体を周囲の人々が嗅いで不快となるということである。
【０００５】
第二の不都合は、不快な臭いのしている気体が、大便器の内部空間から室内に吸い取られ、換気扇への途中でその大便器の使用者の鼻を通過して、その結果この使用者が、生じたばかりの気体により多く向かい合うことである。
【０００６】
第三の不都合は、このようなシステムは建物中に下部構造の設備を必要とすることに関する。このようなシステムが存在しない状況では、このようなシステムを付け加えるのには多くの労力が費やされる。
【０００７】
もう一つ別の型の排気は「下水管排気」として示されるであろう。このようなシステムにおいては、換気扇により吸い取られた空気は下水管に吹き飛ばされ、そこで排気された空気は、外気中におけるよりは迷惑となることが少ない。そして、また、この空気は部屋から吸い取られ、そのことに関連付けられる欠点が残り得るが、大便器の内部空間から直接不快な臭いの気体を吸い取るこのタイプの幾つかのシステムが存在する。
【０００８】
このタイプの公知のシステムの多くは、不都合として、関係する建物の下部構造を適合させることをやはり必要とする。関係する建物を適合させることの必要でない公知のシステムも幾つか存在するが、このようなシステムにおいては、通常、必要な風洞が大便器自体と一体化されている。このことは、通常磁器又は類似の材料で製造される大便器の構造を適合させることが必要であることを意味する。このことが、このような大便器を比較的高価なものとしてしまう。さらに、このようなシステムを用いた場合、現存する大便器と共に取り付けることは不可能である。
【０００９】
米国特許第５３８６５９４号（以下ＵＳ−Ａ−５３８６５９４と表記）は、現存する大便器と共に取り付けることができ、大便器又は建物を適合させる必要のない「下水管排気」タイプの排気システムを記載している。この公知の排気システムは、据付型の（狭義の）大便器を予定しており、すなわちこのシステムの大便器は、床に底面が支えられる様に意図されている。そこでは、洗浄水が、床に配置された下水管に底面を通って流れ過ぎる。さらに、公知の排気システムが、便器の縁に立っている貯水器を備えた大便器を予定していることは制限要因である。この公知の排気システムは、大便器と貯水器との間に置かれた第一の結合片と、大便器の底面と床との間に置かれた第二の結合片とを備えている。さらに、この公知のシステムは、換気扇に加えて、大便器の脇及び／又は後ろに置かれ、前記二個の結合片と結合しているパイプシステムを備えている。したがって、この公知のシステムは、必然的に比較的多数の部品を有し、このことが、このシステムの取り付けを困難にしている。
【００１０】
このパイプシステムを大便器の脇と後ろに設ける必要があることは、美観及び衛生上の観点からは望ましくないものである。便器の縁に立つ貯水器の下と、便器と床との間にある結合片も、清掃することが難しい縁と裂け目を形成し、衛生上の観点からの問題を生じる。
【００１１】
人間工学的な理由で、便座の上側は特定の高さに配置される。子供にとっては、この高さは大人よりも低いであろう。ＵＳ−Ａ−５３８６５９４に記載されたようなシステムの不都合の一つは、大便器の下の結合片が結果的に大便器全体を略４ｃｍ持ち上げることであり、このことは使用者にとって不快かも知れないことである。さらに、このことは、結果的に、貯水器を満たすために水を供給するための大便器の接続を適合させなければならない。
【００１２】
この二つの結合片の間の空気管は、大便器の内部と下水管との間に開いた接続が存在することを意味する。換気扇が静止しているときには、望ましくない下水管の蒸気が、前記空気管を通って大便器の内部に到達でき、このことにより、換気扇のスイッチが切られたときに便所の不快な臭いが生じる。このことに対抗するために、ＵＳ−Ａ−５３８６５９４に記載されたシステムでは、仕切りとして、雁首状の排水器が管中に設けられている。このような雁首状の排水器は、システムの複雑さを増大する。さらに、便器の洗浄の間、水は雁首状の排水器から吸い取られ、水を補充するために、別個の注水管が貯水器と雁首との間に必要となり、このことがシステムの複雑さを更に増大する。また、排気システムが長い間使われないときには、雁首の水が乾燥して、それにより、閉鎖機能が取り消されてしまい、下水管の空気が便所まで到達できる。
【特許文献１】米国特許第５３８６５９４号
【発明の開示】
【発明が解決しようとする課題】
【００１３】
本発明の目的は、上述の欠点を解消ないしは縮小することである。
【００１４】
特に、本発明は、吊り下げ型の大便器、即ち、背面は壁面等に対して支えるが、底面は床から自由である大便器、に適用するのに適した「下水管排気」型の排気システムを提供することを目的とする。
【００１５】
更に詳細には、本発明は、より容易に装着でき、美観に関する面で美しいあるいは少なくとも心配にさせない外観を有し、衛生面では容易に清掃できる排気システムを提供することを目的とする。
【課題を解決するための手段】
【００１６】
本発明の重要な態様によれば、背壁と、この背壁にほぼ平行な前壁とを有する家を備えた排気装置が提供される。さらに、この排気装置は、第一の排気結合管と第二の排気結合管とを備え、それらは、家の前壁から家の背壁に互いに平行に延伸し、家の背壁の外側に突出し、第二の排気結合管は、第一の排気結合管の直径より大きな直径を有している。各排気結合管は、したがって、標準的な大便器の入口及び吐出管、又はそれらの延長部分とそれぞれ結合できるために、内壁の溝状の凹部に配置された封止環を備えている。
【発明を実施するための最良の形態】
【００１７】
本発明のこれら及びその他の態様、特徴及び利点は、図面を参照して、以下の記述により更に説明される。図において、同一の参照番号は、同一又は類似の部分を表す。
【００１８】
図１は、回転可能な座部２、回転可能な蓋３、及び内部空間４を有する浮動大便器１の側面図を図式的に示す。大便器はそれ自体は公知であるので、その長ったらしい議論は不必要である。大便器１は、壁１１と床１２とを備えた部屋１０中におかれている。大便器１は、壁１１に対して支持している後縁５を有する。残部に対しては、大便器１は自由である。より詳細には、大便器１の最低点と床１２の間に鉛直空間が存在する。即ち、大便器１は、簡略化のために図示しないそれ自体は公知の取り付け手段により壁１１に架かっている。
【００１９】
壁１１の後ろに、貯水器１３が取り付けられ、その底面に給水管１４を備えている。貯水器１３は壁に装着された制御盤を備えているが、この制御盤は簡略化のために図示されていない。さらに、下水管１５が壁１１の後ろに配置されている。貯水器１３とこれらの管とは部屋１０からは見えない。後でより詳細に説明するように、壁１１は、貯水器１３の給水管１４がそれを通して大便器１の吸水口に接続される第一の通路開口と、大便器１の排水口がそれを通して下水管１５に接続される第二の通路開口とを有している。
【００２０】
図２Ａは通常の吊り下げ型大便器の通常の装着状態に対する壁１１の通路開口１１Ａ及び１１Ｂの位置での壁１１の横断面図を図式的に示し、図２Ｂは、大便器１の背面図を図式的に示す。
【００２１】
大便器１は入口管６を有し、入口管６の自由端は、壁１１の第一の通路開口１１Ａを通って延伸する第一の結合管２０により、貯水器１３の給水管１４に接続される。第一の結合管２０は、給水管１４の自由端に差し込まれる第一の端部２１を有する。第一の結合管２０の第一の端部２１は、給水管１４の内径にぴったり入る外径を有する。そこでは、給水管１４の内壁の管状の溝に収容された第一の封止環１６が、給水管１４と第一の結合管２０の双方を防水状態で接続する。第一の結合管２０は、大便器１の入口管６の自由端を受け入れる第二の端部２２を有する。入口管６の自由端は、第一の結合管２０の第二の端部２２の内径にぴったり入る外径を有する。そこでは、第一の結合管２０の内壁の管状の溝に収容された第二の封止環２３が、入口管６及び第一の結合管２０の双方を防水状態で接続する。
【００２２】
大便器１は吐出管７を有し、吐出管７の自由端は、壁１１の第二の通路開口１１Ｂを通って延伸する第二の結合管３０により下水管１５に接続される。第二の結合管３０は、下水管１５の自由入口端に差し込まれる第一の端部３１を有する。第二の結合管３０の第一の端部３１は、下水管１５の内径にぴったり入る外径を有し、そこで下水管１５の内壁の管状の溝に収容された第三の封止環１７が下水管１５と第二の結合管３０との双方を防水状態で接続する。第二の結合管３０は、大便器１の吐出管７の自由端を受け入れる第二の端部３２を有する。吐出管７の自由端は、第二の結合管３０の第二の端部３２の内径にぴったり入る外径を有し、そこで第二の結合管３０の内壁の管状の溝に収容された第四の封止環３３が、吐出管７と第二の結合管３０との双方を防水状態で接続する。
【００２３】
装着された状態で、大便器１の後縁５は壁１１に対して支持し、結合管２０及び３０を視界から隠すことが指摘される。
【００２４】
本発明は排気装置１００を提供し、排気装置１００は、現存する大便器１に適用され得、そして、その大便器１と壁１１との間に装着される。図３は、図２Ａに比較できる図式的な横断面図であり、そして到達した状態を例示している。後ろに貯水器１３が置かれた壁１１と、給水管１４と下水管１５とは不変である。本発明に係る排気装置１００は壁１１に装着される。排気装置１００は、第一の排気結合管１２０と第二の排気結合管１３０とを有する家１０１を備えている。この二個の排気結合管１２０及び１３０は、互いにそれらの中心線が略平行に固定されている。そこで、これらの二本の中心線の相互の距離は、大便器１の入口管６と吐出管７の中心線間の相互の距離に対応する。当業者に知られているであろうように、この距離は、入口管６と吐出管７との直径と共に、標準化されている。
【００２５】
家１０１は後壁１０２を有し、後壁１０２は、装着状態で壁１１に接触する。第一の排気結合管１２０は、家の後壁１０２の外部に突出する第一の端部１２１を有し、この端部１２１の外径は給水管１４の第一の封止環１６の直径に適合させられている。第二の排気結合管１３０は、家の後壁１０２の外部に突出する第一の端部１３１を有し、この端部１３１の外径は、下水管１５の第三の封止環１７の直径に適合させられている。家１０１は、排気結合管１２０及び１３０が給水管１４及び下水管１５とそれぞれ一直線に合わせられるように、壁１１に装着されている。さらに、第一の排気結合管１２０の第一の端部１２１は、給水管１４の自由端中に挿入され、第二の排気結合管１３０の第一の端部１３１は、下水管１５の自由端に挿入され、そこで前記封止環１６及び１７が防水封止を保証する。
【００２６】
第一の排気結合管１２０は第二の端部１２２を有し、その内径は給水管１４の内径に対応する。第一の排気結合管１２０の第二の端部１２２の内壁の溝状の凹部に封止環１２３が収容され、その寸法は、給水管１４の第一の封止環１６の寸法に等しくし得る。このようにして、第一の排気結合管１２０の第二の端部１２２は、第一の結合管２０の第一の端部２１を受け入れるために適合させられる。
【００２７】
第二の排気結合管１３０は第二の端部１３２を有し、その内径は下水管１５の内径に対応する。第二の排気結合管１３０の第二の端部１３２の内壁の溝状の凹部に封止環１３３が収容され、その寸法は、下水管１７の第三の封止環１７に等しくし得る。このようにして、第二の排気結合管１３０の第二の端部１３２が、第二の結合管３０の第一の端部３１を受け入れるように適合させられる。
【００２８】
入口管６及び吐出管７に対してそれぞれ通常通り配置された二個の結合管２０及び３０を有する大便器１は、入口管６及び吐出管７が通常通り給水管１４及び下水管１５にそれぞれ一直線に合わせられるようにして、排気装置１００を中間位置にして、壁１１に対して装着される。さらに、第一の結合管２０の第一の端部２１は、第一の排気結合管１２０の第二の端部１２２に挿入され、第二の結合管３０の第一の端部３１は、第二の排気結合管１３０の第二の端部１３２に挿入され、そこで上記封止環１２３及び１３３が、第一の排気結合管１２０と第一の結合管２０間及び第二の排気結合管１３０と第二の結合管３０間の防水封止をそれぞれ保証する。
【００２９】
装着状態では、大便器１の入口管６は、このように、直列の二個の結合管２０及び１２０を介して給水管１４に接続され、大便器１の吐出管７は、このように、直列の二個の結合管３０及び１３０を介して下水管１５に接続される。二個の第一の排気結合管１２０及び１３０の二個の端部１２２及び１３２は、家１０１の外部に突出することもでき、その結果、これらの端部は直接大便器１の入口管６及び吐出管７をそれぞれ受け入れることができ、この場合、元来の結合管２及び３０はこの結果省略できることが指摘されるが、このことは別個には例示されない。
【００３０】
一実施の形態において、家１０１の形状と寸法とは、家１０１が、大便器１の後縁５の内側にぴったり入るようなものである。装着状態で、家１０１は、大便器１により視野から完全に隠され、即ち、側面図は図１と同じである。この場合、排気装置の外観は役割をなさないので、家は省略でき、異なった部品間の接続は管又は撓むホースの形態で実施できる。
【００３１】
他の実施の形態において、家１０１は大便器１の後縁５のそれらと等しい形状と寸法を有し、その結果、装着状態で家１０１は大便器の延長部分として見え得る。
【００３２】
好ましい実施の形態においては、家１０１は大便器１の後縁５より大きい。この場合、家は、後壁１０２にほぼ平行な前壁１０３を有し、この前壁１０３に対して大便器１の後縁５が支えられている。家の形状は、ここでは、大便器の形状とは独立で、円、矩形等の美感上魅力的な形状に設計され得る。さらに、本発明に応じた排気装置についてなお議論される要素を組み込む「内部空間」を、家１０１は更に有する。
【００３３】
図５は、本発明に係る排気装置１００の家１０１の縦断面図を図式的に示す。前に述べたように、家１０１は、この形状よりも大きくてもよいが、図示する実施の形態においては、家１０１は、大便器の後縁の通常の形状の有する輪郭に対応する外側の輪郭を有する。家１０１は数種類の材料で作ることができるが、以後説明するように、家１０１は、窪んだ空間を有する固体合成板で作ることが好ましい。
【００３４】
家１０１は、それを貫通して延伸する二個の穴１０４を有し、この穴１０４は、普通のねじ棒を通過させ、それにより大便器１が壁１１に固定される。
【００３５】
家１０１は、吸引路１４０、吹き出し路１５０、換気扇１６１を内部に配置した換気扇室１６０を備える。大部分の大便器が、十分に大きな換気扇を収容するのに十分な大きさの中空空間を吐出管７の下に有するため、第二の排気結合管１３０の下に、換気扇室１６０は位置している。
【００３６】
第一の排気結合管１２０の上壁に開口１２４が設けられ、それに対して吸引路１４０の入口端部１４１が接続する。吸引路１４０の排出端１４２が換気扇１６１の入口側で換気扇室１６０に接続する。
【００３７】
第二の排気結合管１３０の上壁に開口１３４が設けられ、この開口１３４に対して吹き出し路１５０の排出端１５２が接続する。吹き出し路１５０の入口端部１５１は、換気扇室１６０の換気扇１６１の吐出側に接続する。
【００３８】
ここで、換気扇１６１は、中心線に沿った中央吸い込みと周縁に沿った吹き出しとを有する円盤状の型のものである。ここで、換気扇室１６０は、換気扇１６１の直径より大きな直径を有する円形の輪郭を有し、換気扇１６１は、吹き出し路１５０の入口端部１５１よりも吸引路１４０の排出端１４２に近く、換気扇室１６０中で非対称的に配置されて、吹き出させられる空気ができるだけ抵抗を受けないようにされる。
【００３９】
換気扇１６１は、簡略化のために図示されない電圧源に、やはり簡略化のために図示されない接続線により接続されている。換気扇１６１は、当業者には明らかであろうように、例えば１２Ｖの型、又は２２０Ｖの型のものであってよい。換気扇１６１はその電圧源に定常的に接続され、その結果換気扇１６１の動作は連続的で、又は（図示しない）スイッチを介して接続され、その結果、換気扇１６１は、所望により接続又は切断され得る。このようなスイッチは独立したスイッチであってよいが、部屋１０の電灯を操作するスイッチ、あるいは存在を検出するスイッチであってもよく、その結果、換気扇１６１は、使用者が部屋１０に入ると自動的に動作を開始する。換気扇１６１は、それ自体は公知の遅延回路を備えてもよく、この結果、換気扇１６１は、使用者が部屋１０を出てからもしばらく（例えば５分間）動作し続ける。
【００４０】
換気扇１６１が動作しているときは、換気扇１６１は、吸引路１４０、第一の排気結合管１２０、結合管２０及び入口管６を介して、大便器１の内部空間４から空気を吸い取る。排気された空気は、吹き出し路１５０及び第二の排気結合管１３０を介して下水管１５に吹き込まれる。本発明の重要な態様は、この目的のために、標準の大便器１の適合を何等必要としない。
【００４１】
大便器１が、貯水器１３からの水で洗い流して清掃されるときに、水は吸引路１４０及び／又は吹き出し路１５０中で終わる場合があり、これは望ましくない。このことを防ぐために、排気装置１００は、図５に示され、以下に議論される幾つかの設備を備えることが好ましい。
【００４２】
吹き出し路１５０中に、一方向弁１５３が配置され、空気流を換気扇１６１から第二の排気結合管１３０まで通過させ、水が反対方向に流れないようにする。この一方向弁は、弁座部１５４と弁本体１５５とを備え、弁本体１５５は、休止状態では、弁座部１５４に支えられ、弁座部の通路開口を閉じる。弁本体１５５は、（図示しない）バネ体により弁座部に押圧され得る。図示された実施の形態においては、吹き出し路１５０のほぼ鉛直方向の路部１５６中に一方向弁１５３が装着され、この場合は別個のバネを除外することができ、休止位置では、弁本体１５５が重力により弁座部１５４上に保たれる。
【００４３】
一方向弁１５３は、換気扇１６１により生じた空気流の力により開口する受動型でよい。換気扇１６１の動作中は、一方向弁１５３の下の空気圧が増大し、弁本体１５５が弁座部１５４から持ち上げられ、すなわち吹き飛ばされるべき空気が、第二の排気結合管１３０を介して今や下水管１５に達することができる。便器が洗い流され、第二の排気結合管１３０の水位が上昇し、吹き出し路１５０の排出端１５２に入ると、水圧が弁本体を弁座部１５４に押圧するのに十分となる。
【００４４】
しかし、図示する好ましい実施の形態においては、一方向弁１５３は能動型であり、能動的に開口することができる。その目的のために、一方向弁１５３は、弁本体１５５に結合された磁石又は磁化可能体１５８を備える。吹き出し路１５０の外部に、第一の電磁石１５９が配置され、この電磁石１５９は磁化可能体１５８と協働することができる。更に詳細には、電磁石１５９が電流を流すときは、電磁石１５９は磁石又は磁化可能体１５８上に、それぞれ、重力より大きく、重力とは反対方向に、力を及ぼし、その結果、弁本体１５５が弁座部１５４から持ち上げられる。言い換えれば、電磁石１５９が付勢されると、弁１５３が開かれる。
【００４５】
図示された好ましい実施の形態においては、一方向弁１５３は、吹き出し路１５０の鉛直方向に向いた路部１５６の最も高い位置の近傍に装着され、一方向弁１５３と第二の排気結合管１３０の開口１３４との間に、略水平に向いた、あるいは、むしろ、鉛直方向に向いた路部１５６の最も高い位置から第二の排気結合管１３０のより低く位置した開口１３４までの傾斜を連続的に下る路部１５７を吹き出し路１５０が有する。これにより、第二の排気結合管１３０の開口１３４を通って吹き出し路１５０中に浸透し得た全ての水が、第二の排気結合管１３０中の水位が再び沈下した時に、同じ方向に流れる空気により援助されて、第二の排気結合管１３０に自動的に逆流することが達成される。
【００４６】
吸引路１４０中に、空気流を第一の排気結合管１２０から換気扇１６１に通過させ、同じ方向の水流を停止させるようにされた弁１７０が配置されている。弁１７０は、弁座部１７１と弁本体１７２とを備える。弁１７０は、水が第一の排気結合管１２０中に存在するか否かにより弁１７０を開くか閉じることのできる操作手段１８０を備えている。操作手段１８０は、第一の排気結合管１２０中に配置された水検出器１８１と、水検出器１８１により操作され、弁本体１７２を操作する付勢器１８２とを備えている。
【００４７】
所望の場合には、弁本体１７２を弁座部１７１に押圧するために、弁１７０は戻しバネを備えてもよく、その結果、他の力が弁本体１７２に及ぼされなければ、弁１７０は、このような戻しバネによって閉じられ続ける。
【００４８】
図示された実施の形態においては、弁１７０は、吸引路１４０の略鉛直に向いた路部１４４中に装着され、休止位置で、重力により弁本体１７２が弁座部１７１上に保たれる。それにもかかわらず、上に述べたような、重力「手助けする手」を与える戻しバネを提供することが望まれるかも知れず、発生した場合に弁１７０はより迅速に閉じることができる。
【００４９】
図示した実施の形態において、弁１７０は、更に、弁本体１７２に結合された磁石又は磁化可能体１７４を備える。吸引路１４０の外部に第二の電磁石１８２が配置され、電磁石１８２は磁化可能体１７４と協働し得る。更に詳細には、第二の電磁石１８２が電流を流す時に、第二の電磁石１８２は、磁石又は磁化可能体１７４にそれぞれ、重力に対向する方向と可能な戻しバネの戻し力に対向する方向に、力を及ぼす。第二の電磁石１８２により及ぼされる力は、重力に可能な戻しバネの可能な戻し力を足し合わせたものより大きく、その結果、弁本体１７２が弁座部１７１から持ち上げられる。換言すると、電磁石１８２が付勢されたときには、弁１７０が開かれる。
【００５０】
図示された実施の形態において、水検出器１８１は、第一の排気結合管１２０の内側に配置された板１８１を備え、この板は、その上端で、第一の排気結合管１２０の上壁に回転可能に接続され、回転軸１８３は、第一の排気結合管１２０の中心線に略垂直な方向を向いている。好ましくは、そして図示のように、この検出器板１８１は、第一の排気結合管１２０の入口端部１２１と第一の排気結合管１２０の上壁中の開口１２４との間に位置している。磁石１８４が、検出器板１８１の下端部に取り付けられている。第一の排気結合管１２０の下に、磁石スイッチ１８５が装着され、磁石スイッチ１８５は磁石１８４により操作される。磁石スイッチ１８５は、電磁石１８２のための電源回路中に組み込まれ、この電磁石１８２は、図６のブロック図に図式的に示すように、換気扇１６１に並列に接続されてよい。
【００５１】
安全上の理由で、換気扇１６１と電磁石１８２とは、例えば１２ＶＤＣで供給されるようにされた低電圧装置であることが好ましい。蓄電池又は電池からこれらの装置に給電することも可能であるが、送電線１９１（２２０ＶＡＣ）から給電を受けることがより便利である。各装置は独立したスイッチを用いて操作できるが、部屋１０の照明装置１９３をも操作するスイッチ１９２を用いてこれらの装置を操作することがより便利である。スイッチ１９２が入力されると、変換器１９４がスイッチ１９２の出力に、照明装置１９３と並列に接続される。それ自体は公知の変換器であり、それ故これ以上説明しない変換器１９４の出力は、換気扇１６１、第一の電磁石１５９及び第二の電磁石１８２の並列回路に接続され、そして磁石スイッチ１８５がこの並列回路に直列に接続される。
【００５２】
機能は次のようなものである。休止中は、検出器板１８１が鉛直位置にあり、その結果、それに取り付けられた磁石１８４が磁石スイッチ１８５の近傍に位置し、磁石スイッチ１８５は、したがって、閉じられている。使用者が部屋１０に入り照明装置のスイッチ１９２を操作すると、照明装置１９３が点灯し始め、変換器１９４が出力電圧を供給し始める。その結果、換気扇１６１が回転し始め、二個の電磁石１５９及び１８２がそれぞれの弁１５３及び１７０を開く。そして、この二個の弁は、換気扇が回っているときはいつも開いている。換気扇１６１は、そして、第一の排気結合管１２０を介して空気を吸い取る。検出器板１８１は、貯水器１３からの空気流を妨げ、その結果、換気扇１６１は空気を主として大便器１の内部４から吸い取る。
【００５３】
使用者が便器を洗い流すと、水が第一の排気結合管１２０を通って貯水器１３から強い力で流れる。これにより、検出器板１８１が、その鉛直位置から略水平位置に押し出される。この水平位置で、検出器板１８１は、第一の排気結合管の上壁の開口１２４をおおむね覆い、それにより洗浄水の吸い込み管１４０への浸透が対抗される。また、磁石１８４は今や磁石スイッチ１８５から離れており、したがって開いていて、その結果、換気扇１６１は停止し、二個の電磁石１５９及び１８２はそれぞれの弁１５３及び１７０を開放し、その結果、弁１５３及び１７０が閉じられる。可能な戻しバネが弁１５３及び１７０の閉鎖を加速するであろう。貯水器１３が空になり、第一の排気結合管１２０の水位が十分に落ちると、検出器板１８１がその鉛直位置に戻り、それにより磁石スイッチ１８５が再び閉じて、換気扇１６１と二個の電磁石１５９及び１８２が再び付勢される。
【００５４】
原理的に、弁１７０の位置は決定的ではなく、電磁石１８２の位置も決定的ではない。しかし、家１０１の大きさに応じて、これらの部品を収納するための空間が多かれ少なかれ存在する。また、第一の排気結合管１２０の上壁の開口１２４と弁１７０との間の路部は、ことによると水平部を有する傾斜路部であることが好ましく、その結果、使用者が便器の水を流すときに吸引路１４０に浸透する水が、貯水器１３からの水流が停止したときに、吸引路１４０から第一の排気結合管１２０へ自動的に逆流する。
【００５５】
図示された実施の形態においては、吸引路１４０は、入口端部１４１の隣に、入口端部１４１からやや傾斜した第一の路部１４３を、水平方向の配向も許されるが、有している。第一の路部１４３は、第二の略鉛直に向いた路部１４４に連続し、この路部１４４は換気扇室１６０に接続している。
【００５６】
この図示される実施の形態において、弁１７０が第二の路部１４４の入口に装着され、そこで磁化可能体１７４が第二の路部１４４中に延伸し、電磁石１８２が第二の路部１４４を有する線上に配置される。
【００５７】
好ましい実施の形態において、脱臭装置２００が家１０１の中に統合される。脱臭装置２００は、例えば芳香油に基づく好ましい臭いの物質で満たされた貯蔵器２０１を備えている。貯蔵器２０１は、交換可能なカセットの形で実施することが好都合である。その上壁に、電磁石１８２の上に、家１０１は、貯蔵器２０１から生じる臭い２０３を通過させるための格子２０２を備えている。貯蔵器２０１は格子２０２の下で電磁石１８２の近傍に位置し、電磁石１８２の動作中電磁石１８２より生じる熱により加熱されて、それにより臭う蒸気が放出される。貯蔵器２０１は電磁石１８２の上に位置するのが都合がよい。
【００５８】
かくして、そうでなければエネルギー損失を生じるだけであろう電磁石１８２から生じる熱の有用な使用がなされ、一方、更に完全に自動的に好ましい臭いが部屋１０中に放出され、排気システムから流出するかもしれない不快な臭いをマスクする。
【００５９】
望まれる場合には、脱臭装置２００は、電磁石１８２に並列に接続される（図示しない）換気扇を備えてもよい。このような換気扇は、電磁石１８２に風を送りそれを冷却するように、また、空気が貯蔵器２０１から格子２０２に吹き付けられて貯蔵器２０１から放出される臭いが部屋１０によく届くように、配置するとよい。かくして、このような換気扇は、電磁石１８２を冷却する機能と、貯蔵器２０１から生じる臭い２０３を外部に移動させる機能の二重の機能を有する。
【００６０】
本発明の更なる態様は、投与する方法で洗浄水に清掃液を放出するための装置に関する。この目的のために、大便器の縁に掛けられ当該液体を含む容器が知られている。便器を洗い流す度に、洗浄水が容器の開口に沿って流れ、幾らかのこの流体も流れる。この流体は、通常は粘性流体又はゲルであるが、殺菌機能を有し、及び／又は石灰のかすを防止し、及び／又は好ましい臭いを生成する。公知の容器の不都合なところは、それらが大便器中に流体を非常に部分的に放出するという事実である。洗い流した後、これらの容器は、少しの時間なお滴る傾向がある。そこで、滴る水もその流体を含み、その結果、容器から大便器の水面を通常青、黄又は緑の着色液体の跡が走る。さらに、容器が吊り下げられている大便器の内部の部分には流体が到達するが、大便器の反対側の部分には流体が到達しないかほとんど到達しないということも不都合である。
【００６１】
さらに、容器を置き、充填し、又は取り替えるために、人がいつも手を大便器１の内部４に入れなければならないのも、衛生的観点から望ましくなく、また、着色流体が床に漏れる機会が大きくなり、従来の容器の不都合の一つである。さらに、人が大便器１の内部４を清掃しようと望んだとき、この容器が途中にあり、大便器１の内部４に十分に達することが十分に可能ではなく、衛生的な観点から不都合である。大便器１の内部４を十分に清掃するために、人が今容器を取り去ると、部分的にまだ充填されている容器の着色流体が容器から漏れ出す機会が大きい。
【００６２】
さらに、容器を取り去り、又は置くときに、人が容器を大便器中に落とし、容器が便器の底にあって、手で探し出さなければならない危険があることも公知の容器の不都合である。
【００６３】
さらに、遊んでいる子供が容器を取り出し、口に入れるかもしれないことも公知の容器の不都合である。
【００６４】
本発明のこの態様の目的は、これらの問題を解決し又は少なくとも軽減することである。
【００６５】
この目的のために、本発明は、洗浄水貯蔵器から大便器までの水供給管に接続された投与開口を有する清掃液のための容器を提供する。このような容器は水供給管のどの位置でも独立して接続できるが、本発明の容器は、本発明に従って、図５にも示すように、排気装置１００の家１０１中に統合されることが好ましい。
【００６６】
図５は、家１０１の凹部３０１中に装着された清掃液用の容器３００を例示する。容器３００は、交換可能なカセットとして実施されることが好ましいが、固定的に装着された貯蔵器として実施することもでき、この場合貯蔵器が充填開口を備える。容器３００は、その壁部分３０２（この場合上壁）が外部から使用者に見えるように装着される。所望の場合には、容器を視界から隠すために覆い蓋を設けてもよい。容器３００、少なくともその目に見える壁３０２の一部、は透明にして実施されることが好ましく、その結果、容器３００中の流体レベルが外部から観察可能である。流体の量のための電子モニタシステムを備えることも可能である。検出器が容器中の流体の量を測定する。光源（照明装置、ＬＥＤ）がその状態を表す。例えば、点灯中の照明装置は流体レベルが低いことを表すことができる。三色表示を適用することも可能である。すなわち、緑色の光が流体レベルが十分であることを表し、黄色又は橙色の光が近いうちに流体を充填しなければならないことを表し、赤色の光が、流体が（ほとんど）使い尽くされたことを表す。この場合、容器を目に見えるように装着する必要は無い。
【００６７】
容器３００は、例えば（その直径がほぼ８ｍｍの）管又はホースの形状をした管状の投与路３１０を有し、その排出端３１１は、第一の排気結合管１２０の壁中の通路開口３３１に液密に接続されている。図示した好ましい実施の形態においては、投与測定ブロック３２０が、第一の排気結合管１２０の側壁に、例えば接着により配置されている。投与測定ブロック３２０は、内部空間３２１を有し、内部空間３２１は、一方では容器３００の投与路３１０と連通し、他方では、毛細管開口として実施される通路開口３３１と連通している。投与測定ブロック３２０の内部空間３２１は、毛細管空間として実施してもよい。
【００６８】
その機能は以下のようである。休止状態では、投与測定ブロック３２１の内部空間３２１は清掃液で充填されていて、毛細管通路開口３３１は、清掃液をそれが清掃液で満たされるまで吸い取る。使用者が便器１を洗い流すと、第一の排気結合管１２０が、毛細管通路開口３３１に沿って流れる高速流洗浄水でそれ自身を満たし、そうすることにより、その通路開口３３１から清掃液を取る。洗浄後、水が落ちて、空気が、毛細管通路開口３３１を通り、管状の投与路３１０を介して容器３００の内部に達することができる。その結果、投与測定ブロック３２０の内部空間３２１と毛細管通路開口３３１とが再び清掃液で満たされる。毛細管通路開口３３１を通って空気が逆流することを促進するために、この毛細管通路開口３３１は空隙状の通路開口であることが好ましい。毛細管通路開口３３１は、容器３００が空となっていることを防止するように寸法が決められる。毛細管通路開口３３１に沿って水が流れるときのみ、清掃液がそれから吸い取られる。
【００６９】
本発明に従ってこのように達成された重要な利点は、洗浄水が大便器１の内部空間４中を流れる前に清掃液が洗浄水に付け加えられて、清掃液が大便器全体に十分に分配され、大便器の内部分配路と排水路にすら届くということである。さらに、使用者は、容器を代えるか容器を満たすために大便器１の内部４の容器を取り除くか載置する必要が無く、大便器１の内部４を清掃するときにも容器は途中に無い。
【００７０】
先に、脱臭装置２００は加熱部材を備え、その役割が電磁石１８２により有利に実現されることを説明した。その場合、この電磁石のための温度制御を設けることが好ましい。このような制御を図７Ａのブロック図に例示し、その機能を図７Ｂのグラフに例示する。
【００７１】
変換器１９４の出力に直接（スイッチ１８５を介して）接続された電磁石１８２の代わりに、電磁石１８２は、その供給入力７１１が換気扇１６１に並列に接続された制御部材７１０を備えている。又は、制御部材７１０は、連続電圧源に接続でき、コマンド入力を換気扇１６１に並列に接続してもよい。制御部材７１０は、出力７１２を有し、それに電磁石１８２が接続されている。電磁石１８２は、更に、制御部材７１０の信号入力７１３に接続された、例えばＮＴＣ抵抗器等の熱検出器７２０を備えている。制御部材７１０は、電流が流れたときに、蓋１７０を開くための比較的大きな力を及ぼすことを保証するために、図７Ｂに示される電圧曲線の部分７３１により示されるように、（例えば略１０秒の）所定の時間ｔ１だけ、電磁石１８２に比較的高い出力電圧を最初に提供するようにされている。電磁石１８２を通って流れる電流の結果として、電磁石１８２は、図７Ｂに示される温度曲線の部分７４１に例示するように、かなり早く温まる。
【００７２】
この所定の時間ｔ１が経過した後、制御部材７１０は温度制御モードに入り、そこで制御部材７１０は、熱検出器７２０から受信する温度信号に応じた出力電圧を供給する。熱検出器７２０から受信した温度信号が、電磁石１８２の温度が最も高い所定のレベルＴｍａｘに達したことを示したとき、制御部材７１０は、図７Ｂに示される電圧曲線の部分７３２により示されるような、低制御値ＶＬで出力電圧を供給する。この値は、弁１７０を開いておくには十分に高いが、電磁石１８２を冷却させるには十分に低い。熱検出器７２０から受信した温度信号が、電磁石１８２の温度が最も低い所定のレベルＴｍｉｎまで落ちたことを示すとき、制御部材７１０は、電磁石１８２を再び加熱するのに十分に高い値である図７Ｂに示される電圧曲線の部分７３３により表される高制御値ＶＨで出力電圧を供給する。かくして、弁１７０は常に開かれており、一方、電磁石１８２の温度は、二つの上記レベルＴｍｉｎとＴｍａｘの間の平均値に制御され続け、この平均値は、脱臭装置２００の良好な機能に関して選択された電磁石１８２のための適切な動作温度である。代表的な実施の形態においては、この平均温度はほぼ５０℃になる。
【００７３】
前に、換気扇１６１が電灯幹線から給電されても良く、例えば部屋１０の照明と並列に接続されても良いと述べた。実際には、必要な給電線を壁１１の裏側に持ち込むことが容易でない場合、このことは問題を生じる。可能な実施の形態において、本発明の排気装置は、図８のブロック図に例示する様な貯水器１３の水供給管８１３中に装着された水駆動発電器８０１により給電される充電式電池又は蓄電池８０２の形態の自身の電圧源を備えている。発電器８０１は、発電機に結合されたタービン翼車等を備えている。各洗浄の後で、貯水器１３が補充される。水供給管８１３からの水が発電器８０１を駆動し、蓄電池８０２が充電される。蓄電池８０２が換気扇１６１に給電し、弁１７０及び１５３を付勢する。
【００７４】
換気扇１６１をオン又はオフに切り替えるために、前述したように、使用者により操作される別個のスイッチを設けても良い。好ましい実施の形態においては、装置１００は、使用者が大便器上に座ろうとしているかどうかを検出する検出器８２０を備えている。このような検出器は、図３に示すように、大便器１の下縁５が家１０１の前壁１０３に対して支持する位置で、家１０１中に装着され得る圧力感知検出器であってよい。圧力感知検出器８２０は、例えば、当業者には明らかなように、一以上のひずみ計を有してもよい。
【００７５】
本発明は上述した代表的な実施の形態に限定されず、幾つかの変形と修正が、添付した特許請求の範囲に定義された本発明の保護範囲内で可能であることが当業者には明瞭であろう。例えば、吹き出し路１５０中の一方向弁１５３は能動弁であり得る。
【００７６】
更に、説明した手段以外の検出手段を用いて第一の排気結合管１２０中の水流を検出することが可能であり、及び／又は弁１７０と関係付けられた操作手段は他の方法で構成できる。
【００７７】
さらに、家１０１が大便器１の縁５よりも大きい場合、家１０１の前壁中に格子２０２を設けることも可能である。
【００７８】
さらに、脱臭装置２００に別個の加熱部材を設けることも可能である。
【００７９】
例を用いて前述した弁１５３及び１７０は、それぞれ、関係する管中に配置された弁本体と弁座部を有する。信頼性を増加させるために、弁の可動部を関係する管の外部に置くことが好ましい。好ましい実施の形態において、これらの弁の少なくとも一つ、より好ましくは双方、は、したがって、閉じられたホースを挟む挟み手段を備えた撓むホース部として実施される。図９Ａは、このような弁９１０の例を図式的に例示する。撓むホース９１１の他に、挟みカム９１２が配置され、丁番９１４を中心として回転可能なアーム９１３に装着される。挟みカム９１２は、アーム９１３に固定しても良いが、挟みカム９１２は、アーム９１３に回転可能に取り付けられた車輪として実施することが好ましい。アクチュエータ９１５は、アーム９１３を操作する。図９Ａの左側に、挟みカム９１２がホース９１１を完全に自由にする、即ち弁が開かれる、場所で、アーム９１３がアクチュエータ９１５により保たれる。図９Ａの右側に、挟みカム９１２がホース９１１を完全に閉じるように押圧する、即ち弁が閉じられる、場所で、アーム９１３がアクチュエータ９１５により保たれる。
【００８０】
弁９１０は、一方向特性を持ってよい。図９Ａの右半分において、流体又は空気がホース中を右から流れる場合は、挟みカム９１２が押されて、ホース９１１が開き、一方流体又は空気がホース中を左から流れる場合は、挟みカム９１２が押されて更に閉じることが分かる。
【００８１】
撓むホース９１１のための適切な材料は、シリコンゴムである。
【００８２】
上に、流れる水により取り去るために、清掃液が毛細管路を通って排気結合管１２０にもたらされることを述べた。しかし、投与される清掃液の量をよりよく分ける事が望まれるかもしれない。その目的のために、注水器を使用できる。ここでは可動部が清掃液と接触しないようにすることも好まれるので、図９Ｂに図式的に例示するように、排気ポンプを使用することが好ましい。
【００８３】
図９Ｂは、撓むホース９２０が容器３００の底面から排気結合管１２０に排気ポンプ９２１に沿って行くことを図式的に示す。洗浄水が排気結合管１２０を通って流れる時、例えば検出器１８１により検出される時に、排気ポンプ９２１は、特定の速度で特定の距離に亘って回転するために、付勢される。これにより、清掃液をどの程度洗浄水に加えるか正確に投与することが可能である。排気ポンプ自体は公知であるので、その機能についてこれ以上の長ったらしい議論はここでは必要ない。ホース９２０はその全長に亘って可撓性を有する必要がなく、排気ポンプ９２１と協働する部分が可撓性を有すれば十分であることが指摘できる。
【００８４】
前述の内容において、本発明は、現存する状態において適用されるように意図された実施の形態のために説明された。そして、排気装置は、現存する大便器を取り去り、排気装置を取り付け、大便器を再び戻す（又は、所望の場合には、他のものを戻す）ことにより、簡単に設置される。この場合、排気装置１００は、その背壁１０２を壁１１に、前壁１０３を当該大便器１に接触させた状態で置かれる。壁の後ろに置くことを意図した実施の形態、例えば修復作業、において本発明を実施することも可能である。この場合、排気装置１００は、その前壁１０３を壁１１の後ろ側に、すなわち、大便器から離れる向きの壁の側に、置くことができる。そして、装置１００は便所１０からは見えない。清掃液と脱臭剤流体とを満たすために、特別な接続が必要であろうが、それらの接続は（図示しない）給仕口の後ろに隠すことができる。
【００８５】
特定の実施の形態の変形例において、本発明は、内蔵された壁用すすぎ装置中に統合される。それ自体は公知のこのような洗浄装置は、洗浄水貯蔵器をその中に備えた枠と、大便器のための接合部と、上水道と下水管のための接合部とを備えている。このような洗浄装置を設置した後に、二次壁がおかれ、この二次壁は前述した壁１１の機能を有し、そして大便器１が接続される。
【００８６】
図１０は本発明に従って適合させられる洗浄装置１０００の正面図を図式的に示す。洗浄装置１０００は、壁及び／又は床に取り付けるための枠１００１を有する。洗浄水貯蔵器１０１０は枠中に装着される。貯蔵器中の洗浄水を１０１１で表す。図２Ａの管１４と同様に、洗浄水貯蔵器１０１０から洗浄管１０１２が下方に延伸し、接続スリーブ１０１４中で終止する。さらに、第一の接続スリーブ１０１４の下に置かれた第二の接続スリーブ１０１５が、図２Ａの管１５同様に、設けられる。洗浄装置１０００が置かれた時に、第二の接続スリーブ１０１５は（図示しない）下水管に接続され、さらに、洗浄水貯蔵器１０１０は（図示しない）上水道に接続される。洗浄装置１０００を置いた後に、大便器１が二個の接続スリーブ１０１４と１０１５とに接続される。
【００８７】
蓋板１０１６が、洗浄水貯蔵器１０１０の側壁中のサービス開口を閉じる。
【００８８】
本発明によれば、洗浄装置１０００は、大便器から望ましくない気体を排気し、それらの気体を下水管に吹き飛ばすための排気手段１０２０を備えている。これらの排気手段１０２０は、前述した手段１６１に等しく以後単に換気扇と表される空気吸引吹き出し手段１０２１を備えている。吸引路１０２２が第二の接続スリーブ１０１５の壁中の開口から換気扇１０２１に延伸する。吹き出し路１０２３が換気扇１０２１から洗浄水貯蔵器１０１０の内部空間に延伸し、そこで吹き出し路１０２３の自由端が洗浄水貯蔵器１０１０の上壁の近くで、少なくとも洗浄水１０１１の最も高いレベルより十分に上に置かれる。図１０の略図において、吹き出し路１０２３は、洗浄水貯蔵器１０１０の底を通って延伸するように描かれているが、吹き出し路１０２３は、洗浄水貯蔵器１０１０の側壁又は上壁ですらの中の開口に接続されるために、洗浄水貯蔵器１０１０に沿って進むことが好ましい。
【００８９】
このように、吹き出し路１０２３は、必ずしも第一の接続スリーブ１０１４中の開口に接続されている必要は無い。その理由は、洗浄水貯蔵器１０１０は、通常、洗浄管１０１２を介して第一の接続スリーブ１０１４と連通しているからである。
【００９０】
脱臭装置１２００を設けることが好ましい。この装置は、好ましい臭い物質を満たした貯蔵器１２０１を備えている。貯蔵器１２０１は、例えば枠１０００に取り付けてよく、又は例えば洗浄水貯蔵器１０１０に取り付けてもよい。貯蔵器１２０１は交換可能なカセットとして実施してよく、又は、自由端が例えば蓋板１０１６を介してアクセスできる注水管１２０２を備えた固定貯蔵器として実施してよい。脱臭装置１２００の機能、特に物質の加熱、のために、脱臭装置２００について説明したのと同じことが適用される。そこでこのことは、ここで繰り返す必要はない。脱臭装置２００は、貯蔵器１２０１中の物質の量に対する光表示１２０３を備えており、この光表示１２０３は蓋板１０１６上に配置できることを指摘すれば十分である。
【００９１】
清掃装置１３００を設けることが好ましい。この装置は、清掃液で満たされた貯蔵器１３０１を備えている。貯蔵器１３０１は、例えば枠１０００、又は例えば洗浄水貯蔵器１０１０に取り付けてよい。貯蔵器１３０１は、交換可能なカセット、又はその自由端が例えば蓋板１０１６を介してアクセス可能な注水管１３０２を有する固定された貯蔵器として実施してよい。
【００９２】
投与路１３１０を介して、貯蔵器１３０１が防水状態で第一の接続スリーブ１０１４の壁中の開口に接続されている。良い再現可能な投与にとって、この投与路１３１０は、少なくとも部分的に撓むホースとして実施され、排気ポンプ１３２０を備えている。
【００９３】
清掃装置１３００の機能のために、清掃装置３００について述べたことと同じことが適用される。そこで、このことはここで繰り返す必要は無い。清掃装置１３００は、貯蔵器１３０１中の清掃液の量に対する光表示１３０３を備え、この光表示１３０３は、蓋板１０１６上に配置され得ることを指摘すれば十分である。
【００９４】
最後に、脱臭装置１２００又は２００は、上述したように、排気システムの存否とは独立に適用できることを指摘する。同じことは清掃装置１３００又は３００に適用される。
【図面の簡単な説明】
【００９５】
【図１】図１は、従来の浮動大便器の側面図を図式的に示す。
【図２Ａ】図２Ａは、従来の浮動大便器中の壁通路構造の横断面図を図式的に示す。
【図２Ｂ】図２Ｂは、従来の浮動大便器の背面図を図式的に示す。
【図３】図３は、本発明に係る浮動大便器中の壁通路構造の図２Ａに比較できる断面図を図式的に示す。
【図４】図４は、本発明に係る浮動大便器の図１に比較できる側面図を図式的に示す。
【図５】図５は、本発明に係る排気装置の縦断面図を図式的に示す。
【図６】図６は電気的接続回路を示す。
【図７Ａ】図７Ａは、温度制御回路を図式的に例示するブロック図である。
【図７Ｂ】図７Ｂは、図７Ａの温度制御回路の機能を図式的に例示するグラフである。
【図８】図８は、水駆動発電器の応用を図式的に例示するブロック図である。
【図９Ａ】図９Ａは、閉じられる路の内側に可動部を有しない弁の実施の形態を図式的に例示する。
【図９Ｂ】図９Ｂは、排気ポンプにより清掃流体の投与を図式的に例示する。
【図１０】図１０は、本発明に従って適合された洗浄装置の正面図を図式的に示す。
【符号の説明】
【００９６】
１    大便器
１００    排気装置
１０１    家
１０２    背壁
１０３    前壁
１２０    第一の排気結合管
１２１，１３１    第一の端部
１２２，１３２    第二の端部
１２４，１３４    開口
１３０    第二の排気結合管
１４０    吸引路
１５０    吹き出し路
１５３    弁
１５８，１５９    操作手段
１６０    換気扇空間
１６１    空気吸引及び吹き出し手段
１７０    弁
１７１    弁座部
１７２    弁本体
１８１    水検出器
１８２    アクチュエータ
１８４    磁石
１８５    磁石スイッチ
２００    脱臭装置
２０１    貯蔵器
３００    容器
７１０    制御部材
７１１    入力
７１２    出力
７２０    熱検出器
９１１    管部
９１２    挟み手段
９２０    ホース
９２１    排気ポンプ
【図１】
2007534863.tif 000003
【図２Ａ】
2007534863.tif 000004
【図２Ｂ】
2007534863.tif 000005
【図３】
2007534863.tif 000006
【図４】
2007534863.tif 000007
【図５】
2007534863.tif 000008
【図６】
2007534863.tif 000009
【図７Ａ】
2007534863.tif 000010
【図７Ｂ】
2007534863.tif 000011
【図８】
2007534863.tif 000012
【図９Ａ】
2007534863.tif 000013
【図９Ｂ】
2007534863.tif 000014
【図１０】
2007534863.tif 000015
【国際調査報告】
2007534863.tif 000016
2007534863.tif 000017
2007534863.tif 000018